(57)【要約】【課題】コーナーキャビネットのカウンタートップの接合部が、平面形状が略Ｊ字状であっても、耐久強度に優れた略４５度のものであっても、上記接合部の裏面側に配設される接合金具の連結作業を、キャビネット本体内からでも容易に行なうことができるコーナーキャビネット及び該キャビネットのカウンタートップの接合方法を提供する。【解決手段】コーナーキャビネット本体の上面部に、２部材からなるカウンタートップを接合して上記コーナーキャビネット本体の平面形状より大きな平面形状を有するカウンタートップを形成するコーナーキャビネット及び該キャビネットのカウンタートップの接合方法であって、上記コーナーキャビネット本体の側板上部と背板上部に、接合金具を締め付け可能な開口面積を有する開口部を夫々開設し、該開口部は、カウンタートップを接合した後は、上記各開口部に嵌合され止着可能な蓋体で閉塞するように構成した。【選択図】図１
2005205019.tif 000002
【特許請求の範囲】
【請求項１】
コーナーキャビネット本体と背板上部に、接合金具を締め付け可能な開口面積を有する開口部を夫々開設し、該開口部には、該各開口部を閉塞可能な蓋体が着脱自在に装着されていることを特徴とするコーナーキャビネット。
【請求項２】
前記コーナーキャビネット本体の上面部に固定されるカウンタートップは、２部材を接合することで上記キャビネット本体の平面形状より大きな平面形状が形成されるように構成されており、一方のカウンタートップと他方のカウンタートップとの接合部は、平面形状が略Ｊ字状に突き合わせ可能に形成されていることを特徴とする請求項１に記載のコーナーキャビネット。
【請求項３】
前記コーナーキャビネット本体の上面部に固定されるカウンタートップは、２部材を接合することで上記キャビネット本体の平面形状より大きな平面形状が形成されるように構成されており、一方のカウンタートップと他方のカウンタートップとの接合部は、略４５度の角度で突き合わせ可能に形成されていることを特徴とする請求項１に記載のコーナーキャビネット。
【請求項４】
コーナーキャビネット本体の上面部に、２部材からなるカウンタートップを接合して上記キャビネット本体の平面形状より大きな平面形状を有するカウンタートップを形成する方法であって、上記キャビネット本体と背板上部に、接合金具を締め付け可能な開口面積を有する開口部を夫々開設し、該開口部は、カウンタートップを接合した後は、上記各開口部に嵌合され止着可能な蓋体で閉塞されることを特徴とするコーナーキャビネットのカウンタートップ接合方法。
【請求項５】
前記カウンタートップは、コーナーキャビネット本体の突出部分の上部を覆う一方のカウンタートップと、上記コーナーキャビネット本体の大部分を覆う他方のカウンタートップと、で構成されてなり、上記一方のカウンタートップと他方のカウンタートップとの接合部が、平面形状が略Ｊ字状に接合されるように形成されてなり、上記略Ｊ字状の接合部の裏面側に配設される複数個の接合金具の取り付け作業は、前記キャビネット本体の背板上部に開設された開口部を利用して行なわれることを特徴とする請求項４に記載のコーナーキャビネットのカウンタートップ接合方法。
【請求項６】
前記カウンタートップは、コーナーキャビネット本体の突出部分の上部を覆う一方のカウンタートップと、上記コーナーキャビネット本体の直線部を覆う他方のカウンタートップと、で構成されてなり、上記一方のカウンタートップと他方のカウンタートップとの接合部が、平面形状が略４５度の角度で突き合わせて接合されるように形成されてなり、該接合部の裏面側に配設される複数個の接合金具の取り付け作業は、前記キャビネット本体の背板に開設された開口部を利用して行なわれることを特徴とする請求項４に記載のコーナーキャビネットのカウンタートップ接合方法。
【発明の詳細な説明】
【技術分野】
【０００１】
この発明は、平面形状がＩ字状又はＬ字状に形成されてなる所謂コーナーキャビネット等の構造及び該コーナーキャビネットのカウンタートップの接合方法に関する。
【背景技術】
【０００２】
良く知られているように、上記コーナーキャビネットでは、排水管やガス管等の配管スペースを確保するために、背板を手前側に配置しているのが現状である。
【０００３】
一方、上記コーナーキャビネットの場合、カウンタートップは、製造上の理由や搬送上の理由から、一枚板で形成するのが難しいため、２部材を現場で接合させ、該接合部の裏側（カウンタートップの裏側）を、例えば、特許文献１に示す接合金具で連結しているのが現状である。
【０００４】
【特許文献１】特許第２８２７１１０号公報
【発明の開示】
【発明が解決しようとする課題】
【０００５】
このため、上記２部材からなるカウンタートップを現場で接合する作業は、作業者がキャビネット本体内に入り込んで上記接合金具を緊締しなければならないが、上記コーナーキャビネットの場合、上記したように背板がキャビネット本体の手前側に配置されているため、背板の外側（キャビネット本体の外側）の接合金具の緊締作業がキャビネット本体内から行なうことができない、という問題を有していた。
【０００６】
このような問題は、ダイニング側のみカウンタートップの奥行を大きく取る所謂ペニンシュラ型のレイアウトが好まれる近年にあっては、特に顕著であり、例えば、材料の歩留りが良好な接合構造である２部材の接合角度を略４５度することは、上記接合金具のキャビネット本体内からの接合連結作業が不可能であるため、構造的に採用すること自体が不可能であった。
【０００７】
この発明は、かかる現状に鑑み創案されたものであって、その目的とするところは、コーナーキャビネットのカウンタートップの接合部が、平面形状が略Ｊ字状であっても、材料の歩留りが良好な略４５度のものであっても、上記接合部の裏面側に配設される接合金具の連結作業を、キャビネット本体内からでも容易に行なうことができるコーナーキャビネット及び該キャビネットのカウンタートップの接合方法を提供しようとするものである。
【課題を解決するための手段】
【０００８】
上記目的を達成するため、請求項１に記載の発明にあっては、コーナーキャビネットを、コーナーキャビネット本体と背板上部に、接合金具を締め付け可能な開口面積を有する開口部を夫々開設し、該開口部には、該各開口部を閉塞可能な蓋体が着脱自在に装着したことを特徴とする。
【０００９】
また、請求項２に記載の発明は、請求項１に記載のコーナーキャビネットを技術的前提とし、前記コーナーキャビネット本体の上面部に固定されるカウンタートップは、２部材を接合することで上記キャビネット本体の平面形状より大きな平面形状が形成されるように構成されており、一方のカウンタートップと他方のカウンタートップとの接合部は、平面形状が略Ｊ字状に突き合わせ可能に形成されていることを特徴とする。
【００１０】
請求項３に記載の発明は、請求項１に記載のコーナーキャビネットを技術的前提とし、前記コーナーキャビネット本体の上面部に固定されるカウンタートップは、２部材を接合することで上記キャビネット本体の平面形状より大きな平面形状が形成されるように構成されており、一方のカウンタートップと他方のカウンタートップとの接合部は、略４５度の角度で突き合わせ可能に形成されていることを特徴とする。
【００１１】
請求項４に記載の発明は、コーナーキャビネットのカウンタートップ接合方法であって、コーナーキャビネット本体の上面部に、２部材からなるカウンタートップを接合して上記キャビネット本体の平面形状より大きな平面形状を有するカウンタートップを形成する方法であって、上記キャビネット本体と背板上部に、接合金具を締め付け可能な開口面積を有する開口部を夫々開設し、該開口部は、カウンタートップを接合した後は、上記各開口部に嵌合され止着可能な蓋体で閉塞されることを特徴とする。
【００１２】
請求項５に記載の発明は、請求項４に記載のコーナーキャビネットのカウンタートップ接合方法を技術的前提とし、前記カウンタートップは、コーナーキャビネット本体の突出部分の上部を覆う一方のカウンタートップと、上記コーナーキャビネット本体の大部分を覆う他方のカウンタートップと、で構成されてなり、上記一方のカウンタートップと他方のカウンタートップとの接合部が、平面形状が略Ｊ字状に接合されるように形成されてなり、上記略Ｊ字状の接合部の裏面側に配設される複数個の接合金具の取り付け作業は、前記キャビネット本体の背板上部に開設された開口部を利用して行なわれることを特徴とする。
【００１３】
請求項６に記載の発明は、請求項４に記載のコーナーキャビネットのカウンタートップ接合方法を技術的前提とし、前記カウンタートップは、コーナーキャビネット本体の突出部分の上部を覆う一方のカウンタートップと、上記コーナーキャビネット本体の直線部を覆う他方のカウンタートップと、で構成されてなり、上記一方のカウンタートップと他方のカウンタートップとの接合部が、平面形状が略４５度の角度で突き合わせて接合されるように形成されてなり、該接合部の裏面側に配設される複数個の接合金具の取り付け作業は、前記キャビネット本体の背板に開設された開口部を利用して行なわれることを特徴とする。
【発明の効果】
【００１４】
請求項１に記載の発明は、コーナーキャビネット本体と背板上部に、接合金具を締め付け可能な開口面積を有する開口部を夫々開設し、該開口部には、該各開口部を閉塞可能な蓋体が着脱自在に装着するように構成したので、コーナーキャビネットのカウンタートップの接合部が、平面形状が略Ｊ字状であっても、材料の歩留りが良好な略４５度のものであっても、上記接合部の裏面側に配設される接合金具の連結作業を、キャビネット本体内からでも容易に行なうことができると共に、接合連結作業が終了した後は、蓋体で上記各開口部を閉塞することができるので、該蓋体をキャビネット本体の背板及び側板と同一の材質で形成することで、キャビネット本体の一体性を確保することができ、インテリア家具としての外観品質が損なわれる心配がない。
【００１５】
また、請求項２に記載の発明では、前記コーナーキャビネット本体の上面部に固定されるカウンタートップは、２部材を接合することで上記キャビネット本体の平面形状より大きな平面形状が形成されるように構成されており、一方のカウンタートップと他方のカウンタートップとの接合部は、平面形状が略Ｊ字状に突き合わせ可能に形成したので、背板の開口部を利用してキャビネット本体内から容易に前記連結作業を行なうことができる。
【００１６】
さらに、請求項３に記載の発明では、前記コーナーキャビネット本体の上面部に固定されるカウンタートップは、２部材を接合することで上記キャビネット本体の平面形状より大きな平面形状が形成されるように構成されており、一方のカウンタートップと他方のカウンタートップとの接合部は、略４５度の角度で突き合わせ可能に形成したので、材料の歩留りが良好な上記接合形状であっても、背板の開口部を利用してキャビネット本体内から容易に前記連結作業を行なうことができる。
【００１７】
請求項４に記載の発明は、コーナーキャビネット本体の上面部に、２部材からなるカウンタートップを接合して上記キャビネット本体の平面形状より大きな平面形状を有するカウンタートップを形成する方法であって、上記キャビネット本体と背板上部に、接合金具を締め付け可能な開口面積を有する開口部を夫々開設し、該開口部は、カウンタートップを接合した後は、上記各開口部に嵌合され止着可能な蓋体で閉塞するように構成したので、キャビネット本体内から容易にカウンタートップを接合することができ、現場におけるこの種の作業を簡略化し、作業時間を大幅に短縮化することができる。
【００１８】
請求項５に記載の発明では、前記カウンタートップは、コーナーキャビネット本体の突出部分の上部を覆う一方のカウンタートップと、上記コーナーキャビネット本体の大部分を覆う他方のカウンタートップと、で構成し、上記一方のカウンタートップと他方のカウンタートップとの接合部が、平面形状が略Ｊ字状に接合されるように形成されてなり、上記略Ｊ字状の接合部の裏面側に配設される複数個の接合金具の取り付け作業は、前記キャビネット本体の背板に開設された開口部を利用して行なうことができるので、キャビネット本体内から容易に前記連結作業を行なうことができる。
【００１９】
請求項６に記載の発明では、前記カウンタートップは、コーナーキャビネット本体の突出部分の上部を覆う一方のカウンタートップと、上記コーナーキャビネット本体の直線部を覆う他方のカウンタートップと、で構成し、上記一方のカウンタートップと他方のカウンタートップとの接合部が、平面形状が略４５度の角度で突き合わせて接合されるように形成し、該接合部の裏面側に配設される複数個の接合金具の取り付け作業は、前記キャビネット本体の背板に開設された開口部を利用して行なうことができるので、材料の歩留りが良好なカウンタートップの接合連結作業を、キャビネット本体内から容易に連結することができる。
【発明を実施するための最良の形態】
【００２０】
以下、添付図面に示す発明の実施例に基づき、この発明を詳細に説明する。
【実施例１】
【００２１】
図１乃至図１０は、この発明の実施例１に係るＬ型コーナーキャビネット１を示しており、図１は該Ｌ型コーナーキャビネット１の底面方向から見た斜視図を、図２は同Ｌ型コーナーキャビネット１の底面方向からみたカウンタートップ１５の接合状態を示す説明図を、図３は同Ｌ型コーナーキャビネット１の正面説明図を、図４は同Ｌ型コーナーキャビネット１の平面説明図を、図５は、同Ｌ型コーナーキャビネット１の右側面説明図を、図６は同Ｌ型コーナーキャビネット１の右背板５の正面図を、図７は同右背板５の水平断面図を、図８は同Ｌ型コーナーキャビネット１の左背板３の正面図を、図９は同左背板３の水平断面図を、図１０は同左背板３の縦断面図を夫々示している。
【００２２】
本実施例１に係るＬ型コーナーキャビネット１は、所謂ペニンシュラ型のコーナーキャビネットとして構成されており、右側キャビネット本体部２Ａと、該右側キャビネット本体部２Ａよりも前面部が前方に突出する左側キャビネット本体部２Ｂと、が連結されて平面形状が略Ｌ字状に構成されており、左背板３と、右側板４と、右背板５と、平面形状が略Ｌ字状に形成された底板６と、上記右側キャビネット本体部２Ａと左側キャビネット本体部２Ｂとの段差部を覆う扉７と、平面形状が略Ｌ字状に組構される台輪８と、から構成されている。尚、図中符号９Ｂは、左側板９Ａと後記する横桟９Ｃとを連結する横桟を、９Ｃは横桟９Ｂと右側板４の上部に架設された横桟を夫々示している。
【００２３】
また、上記右側及び左側キャビネット本体部２Ａ，２Ｂの前方開口部には、扉１０Ａと扉７がヒンジ（図示せず）を介して開閉自在に取り付けられている。尚、符号Ｓ１は、扉７の横に並設された飾り板を、符号Ｓ２は右側板４の奥行側に並設される飾り板を、さらに符号Ｔは、着脱自在な棚板である。
【００２４】
そして、上記左背板３の上部と右背板５の上部には、長方形状の開口１１，１２が開設されており、一方の開口１１は、左背板３の幅寸法よりも若干小さな長辺寸法を有して形成され、また、他方の開口１２は、左側キャビネット本体部２Ｂの幅寸法よりも若干小さな長辺寸法を有して形成されている。
【００２５】
このように構成されてなるＬ型コーナーキャビネット１の上部に取り付けられるカウンタートップ１５は、Ｌ型コーナーキャビネット１の左側部と背面部よりも大きく張り出す大きさに形成され、本実施例１では、平面形状において、図２に示すように、上記右側キャビネット本体部２Ａと左側キャビネット本体部２Ｂの上面の殆どを覆う大きさに形成されてなる第１のカウンタートップ１５Ａと、左側キャビネット本体部２Ｂの右側キャビネット本体部２Ａの前端部よりも前方に突出した部分を覆う第２のカウンタートップ１５Ｂと、から構成されており、これら第１と第２のカウンタートップ１５Ａ，１５Ｂの連結は、該第１と第２のカウンタートップ１５Ａ，１５Ｂの裏面側に配設された複数個（本実施例１では３個）の接合金具１４を介して連結される。尚、この接合金具は、両カウンタートップ１５Ａ，１５Ｂを強固に、かつ容易に連結できるものであれば、例えば特許文献１の連結金具は勿論、その他の各種公知のものを使用することができる。
【００２６】
そして、この第１と第２のカウンタートップ１５Ａ，１５Ｂの接合部は、平面形状が略Ｊ字状に接合されるように切り欠かれて形成されており、本実施例１では、該接合部を連結する接合金具１４は、キャビネット本体内側に２個が、キャビネット本体の外側に１個（特に符号１４Ａを付す。）が配設されている。
【００２７】
次に、このように構成されてなるＬ型コーナーキャビネット１に上記２部材からなるカウンタートップ１５Ａ，１５Ｂを取り付ける場合について説明すると、先ず、第１のカウンタートップ１５ＡをＬ型コーナーキャビネット１の上面部に正確に載せて要所要所を固定金具（図示せず）でＬ型コーナーキャビネット１に固定する。
【００２８】
次に、第１のカウンタートップ１５Ａの接合部に第２のカウンタートップ１５Ｂの接合部を正確に接合させて密着させる。
【００２９】
この後、作業員が左側キャビネット本体部２Ｂ内に入り込み、先ず、キャビネット本体内側の２個の接合金具１４を緊締した後、前記左背板３の上部に開設された開口１１に腕を通して、キャビネット本体の外側に配設された接合金具１４Ａを緊締し、両カウンタートップ１５Ａ，１５Ｂの連結作業が終了する。
【００３０】
このように、本実施例１では、キャビネット本体の外側に配設された接合金具１４Ａの緊締作業を、作業員が左側キャビネット本体部２Ｂ内に入り込んだまま、前記左背板３の上部に開設された開口１１に腕を通して簡単に行なうことができるので、作業性が簡略化され、短時間でカウンタートップ１５のＬ型コーナーキャビネット１への取り付け作業を行なうことができる。
【００３１】
以上のカウンタートップ１５の取り付け作業が終了した後は、上記各開口１１，１２には、左背板３及び右背板５と同じ材質で形成された蓋体（図示せず）が嵌合され固着され、上記各開口１１，１２は閉塞される。
【実施例２】
【００３２】
図１１乃至図１５は、この発明の実施例２に係るＩ型コーナーキャビネット２０を示しており、図１１は同コーナーキャビネット２０の斜視図を、図１２は同Ｉ型コーナーキャビネット２０の底面方向からみたカウンタートップ２２の接合状態を示す説明図を、図１３は同Ｉ型コーナーキャビネットの正面説明図を、図１４は同Ｉ型コーナーキャビネット２０の平面説明図を、図１５は同Ｉ型コーナーキャビネット２０の右側面説明図を夫々示している。
【００３３】
この実施例２において、Ｉ型コーナーキャビネット２０の基本的な構成は、前記実施例１と同様であるので、図面には実施例１で用いた符号と同一の符号を付してその詳細な説明をここでは省略する。
【００３４】
この実施例２において、前記実施例１と異なる構成はカウンタートップ１５Ａ１，１５Ｂ１の構成である。
【００３５】
即ち、この実施例２において、上記カウンタートップ１５Ａ１，１５Ｂ１は、上記右側キャビネット本体部２Ａと左側キャビネット本体部２Ｂの奥行側を覆う大きさに形成されてなる第１のカウンタートップ１５Ａ１と、左側キャビネット本体部２Ｂの前方部及び奥行部の一部を覆う第２のカウンタートップ１５Ｂと、から構成されており、これらカウンタートップ１５Ａ１，１５Ｂ１の接合部は、図１２に示すように、略４５度に切り欠かれた部分が接合されており、これら第１と第２のカウンタートップ１５Ａ１，１５Ｂ１の連結は、該第１と第２のカウンタートップ１５Ａ１，１５Ｂ１の裏面側に配設された前記実施例１と同様の構成からなる接合金具１４を介して連結される。この場合、上記接合部を連結する接合金具１４は、キャビネット本体内側に２個が、キャビネット本体の外側に１個（特に符号１４Ａを付す。）が配設されている。
【００３６】
次に、このように構成されてなるＩ型コーナーキャビネット２０に上記２部材からなるカウンタートップ１５Ａ１，１５Ｂ１を取り付ける場合について説明すると、先ず、第１のカウンタートップ１５Ａ１をＩ型コーナーキャビネット２０の上面部に正確に載せて要所要所を固定金具（図示せず）でＩ型コーナーキャビネット２０に固定する。
【００３７】
次に、第１のカウンタートップ１５Ａ１の略４５度に切り欠かれた接合部（斜辺部）に第２のカウンタートップ１５Ｂ１の略４５度に切り欠かれた接合部（斜辺部）を正確に接合させて密着させる。
【００３８】
この後、作業員が左側キャビネット本体部２Ｂ内に入り込み、先ず、キャビネット本体内側の２個の接合金具１４を緊締した後、前記左背板３の上部に開設された開口１１及び右背板５に開設された開口１２に腕を通して、キャビネット本体の外側に配設された接合金具１４Ａを緊締し、両カウンタートップ１５Ａ１，１５Ｂ１の連結作業が終了する。
【００３９】
このように、本実施例２では、Ｉ型コーナーキャビネット２０の外側に配設された接合金具１４Ａの緊締作業を、作業員が左側キャビネット本体部２Ｂ内に入り込んだまま、前記左背板３の上部に開設された開口１１と右背板５に開設された開口１２に腕を通して簡単に行なうことができるので、作業性が簡略化され、短時間でカウンタートップ１５のＩ型コーナーキャビネット２０への取り付け作業を行なうことができる。
【００４０】
以上のカウンタートップ１５の取り付け作業が終了した後は、上記各開口１１，１２には、実施例１と同様に、左背板３及び右背板５と同じ材質で形成された蓋体（図示せず）が嵌合され固着され、上記各開口１１，１２は閉塞される。
【００４１】
尚、この発明にあっては、上記各実施例に限定されるものではなく、本発明の要旨を変更しない範囲で適宜設計変更して、各種キャビネットに適用することができる。
【図面の簡単な説明】
【００４２】
【図１】この発明の実施例１に係るＬ型コーナーキャビネットの底面方向から見た斜視図である。
【図２】同Ｌ型コーナーキャビネットの底面方向からみたカウンタートップの接合状態を示す説明図である。
【図３】同Ｌ型コーナーキャビネットの正面説明図である。
【図４】同Ｌ型コーナーキャビネットの平面説明図である。
【図５】同Ｌ型コーナーキャビネットの右側面説明図である。
【図６】同Ｌ型コーナーキャビネットの背板の正面図である。
【図７】同背板の水平断面図である。
【図８】同Ｌ型コーナーキャビネットの左側板の正面図である。
【図９】同左側板の水平断面図である。
【図１０】同左側板の縦断面図である。
【図１１】この発明の実施例２に係るＩ型コーナーキャビネットの斜視図である。
【図１２】同Ｉ型コーナーキャビネットの底面方向からみたカウンタートップの接合状態を示す説明図である。
【図１３】同Ｉ型コーナーキャビネットの正面説明図である。
【図１４】同Ｉ型コーナーキャビネットの平面説明図である。
【図１５】同Ｉ型コーナーキャビネットの右側面説明図である。
【符号の説明】
【００４３】
１  Ｌ型コーナーキャビネット
２Ａ  右側キャビネット本体部
２Ｂ  左側キャビネット本体部
３  左背板
４  右側板
５  右背板
７  扉
９Ａ  左側板
１０Ａ  扉
１１  背板の開口
１２  背板の開口
１４，１４Ａ  接合金具
１５Ａ，１５Ａ１  第１のカウンタートップ
１５Ｂ，１５Ｂ１  第２のカウンタートップ
【図１】
2005205019.tif 000003
【図２】
2005205019.tif 000004
【図３】
2005205019.tif 000005
【図４】
2005205019.tif 000006
【図５】
2005205019.tif 000007
【図６】
2005205019.tif 000008
【図７】
2005205019.tif 000009
【図８】
2005205019.tif 000010
【図９】
2005205019.tif 000011
【図１０】
2005205019.tif 000012
【図１１】
2005205019.tif 000013
【図１２】
2005205019.tif 000014
【図１３】
2005205019.tif 000015
【図１４】
2005205019.tif 000016
【図１５】
2005205019.tif 000017